(57)【要約】【課題】煩雑な作業を避けながら、高い自由度を以って管材やケーブル等の設置物の設置作業をすることができる床構造の施工方法及び木造建築物の施工方法を提供する。【解決手段】床構造の施工においては、一対の縦床梁１０と一対の横床梁１１とを組み、一対の横床梁１１間に複数の面材１２を架け渡し、隣接する面材１２の両縁部近傍を上方から覆設するように板材１３を配設する。そして、面材１２の上であって、Ｚ方向上方からの平面視で、縦床梁１０と重なる領域に２階根太受け部材１４を配設し、面材１２、板材１３、及び２階根太受け部材１４と下地板の上のスペースを通過するように、パイプ２７の配管及びケーブル２８の配線を行う。ここで、配管及び配線の作業に際しては、面材１２及び板材１３の少なくとも一方を足場として利用する。【選択図】図４
2019011605.tif 000002
【特許請求の範囲】
【請求項１】
上階と下階とを有する木造建築物の床構造の施工方法において、
一対の第１床梁のそれぞれが第１方向に延びるとともに、当該第１方向と直交する方向に互いに間隔を空けた状態で並設され、且つ、一対の第２床梁のそれぞれが前記第１方向と交差する第２方向に延びるとともに、当該第２方向と直交する方向に互いに間隔を空けた状態で並設されるように、前記一対の第１床梁と前記一対の第２床梁とを組むステップと、
前記一対の第１床梁及び前記一対の第２床梁で区画される領域を上方から覆設するように互いに並設する状態で複数の面材を配設し、当該複数の面材を前記一対の第１床梁及び前記一対の第２床梁の少なくとも一方の床梁に固定するステップと、
前記複数の面材の内、互いに隣接する２枚の前記面材の両縁部近傍を上方から覆設するように板材を配設し、当該板材を前記隣接する２枚の面材に固定するステップと、
複数の下地板を、前記複数の面材と間隔を空けた状態で当該複数の面材の上に配設するステップと、
を備える、
床構造の施工方法。
【請求項２】
請求項１に記載の床構造の施工方法であって、
前記板材を配設した後であって、前記複数の下地板を配設する前に、前記複数の面材及び前記板材の少なくとも一方を足場として、管材及びケーブルの少なくとも一方を含む配索部材を配索するステップを、更に備える、
床構造の施工方法。
【請求項３】
請求項２に記載の床構造の施工方法であって、
前記複数の面材の上における、平面視で前記第１床梁又は前記第２床梁と重なる領域であって、前記板材により覆われた領域以外の領域に、前記上階からの荷重を支持する複数の第１支持部材を配設するステップ、を更に備え、
前記配索するステップでは、前記複数の第１支持部材の少なくとも一部の上を跨ぐように前記配索部材を配索する、
床構造の施工方法。
【請求項４】
請求項３に記載の床構造の施工方法であって、
前記板材を配設するステップでは、前記隣接する２枚の面材よりも薄い前記板材を用いる、
床構造の施工方法。
【請求項５】
請求項３又は請求項４に記載の床構造の施工方法であって、
前記複数の面材の上における、前記第１支持部材を配設する予定の領域の少なくとも一部領域に、弾性部材を配設するステップ、を更に備える、
床構造の施工方法。
【請求項６】
請求項３から請求項５の何れかに記載の床構造の施工方法であって、
前記複数の第１支持部材のそれぞれは、前記面材に沿って延びる長尺状の部材であり、
該床構造の施工方法は、
複数の第２支持部材のそれぞれが前記第１支持部材の長手方向に対して交差する方向に延びるとともに、前記配索部材を避けるように、前記複数の第１支持部材の上に前記複数の第２支持部材を架設するステップ、を更に備え、
前記配索するステップで配索された前記配索部材は、前記複数の面材及び前記板材と前記複数の下地板との間、及び前記複数の第１支持部材と前記複数の下地板との間、のスペースを通る状態となる、
床構造の施工方法。
【請求項７】
請求項６に記載の床構造の施工方法であって、
前記複数の第１支持部材の上における、前記第２支持部材を配設する予定の領域の少なくとも一部領域に、スペーサを配設するステップ、を更に備える、
床構造の施工方法。
【請求項８】
上階と下階とを有する木造建築物の施工方法において、
請求項１から請求項７の何れかの床構造の施工方法を用いて、前記上階の床構造を施工する、
木造建築物の施工方法。
【発明の詳細な説明】
【技術分野】
【０００１】
本発明は、床構造の施工方法及び木造建築物の施工方法に関する。
【背景技術】
【０００２】
従来から、木造建築物における床構造の施工方法として根太工法が用いられている。
【０００３】
根太工法を用いた床構造の施工は、間隔を空けて対向配置された一対の床梁に対して、それぞれが床梁に直交する方向に延びる複数の根太を、互いに間隔を空けて床梁間に架設し、複数の根太の上に、構造用の面材を敷設することによってなされる。
【０００４】
ところで、従来技術に係る配管や電気配線などの作業としては、根太や床梁にパイプやケーブル（電線や光ファイバーなど）を固定する方法が採用されている。なお、上階と下階との間に配管や配線を行う場合には、床構造における根太や床梁に固定したパイプやケーブルが下階側から見えないようにするため、パイプやケーブルの下方を覆うように天井材が別途取り付けられる。
【０００５】
特許文献１には、電気配線を行うために、予め根太に貫通孔を設けておき、当該貫通孔を用いて電気配線を行う床構造の施工方法が開示されている。この施工方法では、下階の天井板と上階の床板との間に電線を配設することができる。
【先行技術文献】
【特許文献】
【０００６】
【特許文献１】特開２００１−７３４９３号公報
【発明の概要】
【発明が解決しようとする課題】
【０００７】
しかしながら、上記特許文献１に開示の技術を含む従来技術では、煩雑な作業を避けながら、高い自由度を以って管材やケーブル等の設置物の設置作業をすることが難しい。即ち、根太や床梁に管材やケーブル等の設置物を設置する方法では、下階に脚立を置いたり、足場を組んだりして設置作業を行う必要があり、煩雑な作業が発生する。
【０００８】
また、上記特許文献１に開示の技術では、根太における電気配線を行おうとする箇所に予め貫通孔を設けておく必要があり、現場での設計変更などには対応し難いという問題がある。また、上記特許文献１に開示の技術では、根太を組んだ後に管材やケーブル等の設置物を設置することは困難であり、リフォームやメンテナンスが困難となる。
【０００９】
本発明は、上記のような問題の解決を図ろうとなされたものであって、煩雑な作業を避けながら、高い自由度を以って管材やケーブル等の設置物の設置作業をすることができる床構造の施工方法及び木造建築物の施工方法を提供することを目的とする。
【課題を解決するための手段】
【００１０】
本発明の一態様に係る床構造の施工方法は、上階と下階とを有する木造建築物の床構造を施工する方法であり、次のステップを備える。
【００１１】
《床梁を組むステップ》  一対の第１床梁のそれぞれが第１方向に延びるとともに、当該第１方向と直交する方向に互いに間隔を空けた状態で並設され、且つ、一対の第２床梁のそれぞれが前記第１方向と交差する第２方向に延びるとともに、当該第２方向と直交する方向に互いに間隔を空けた状態で並設されるように、前記一対の第１床梁と前記一対の第２床梁とを組む。
【００１２】
《面材を配設するステップ》  前記一対の第１床梁及び前記一対の第２床梁で区画される領域を上方から覆設するように互いに並設する状態で複数の面材を配設し、当該複数の面材を前記一対の第１床梁及び前記一対の第２床梁の少なくとも一方の床梁に固定する。
【００１３】
《板材を配設するステップ》  前記複数の面材の内、互いに隣接する２枚の前記面材の両縁部近傍を上方から覆設するように板材を配設し、当該板材を前記隣接する２枚の面材に固定する。
【００１４】
《下地板を配設するステップ》  複数の下地板を、前記複数の面材と間隔を空けた状態で当該複数の面材の上に配設する。
【００１５】
上記態様に係る床構造の施工方法では、下方から上方に向けて順に部材を組み付ける。そして、上記態様に係る床構造の施工方法では、板材を配設した後であって、下地板を配設する前に、板材及び面材の上のスペースに対して、管材（パイプ等）、ケーブル（電力伝送用の電線や通信用の光ファイバーケーブル等）、さらには吸音材や断熱材などを含む設置物を設置することができる。このときに作業は、第１床梁や第２床梁に固定された面材や、これら面材を補強する目的で配設された板材の上で行うことができ、当該作業のために脚立を立てたり足場を組んだりする必要はなく、配索の際の煩雑な作業を回避することができる。
【００１６】
また、上記態様に係る床構造の施工方法では、面材や板材の上に管材やケーブルを這わすことで配索が可能であるので、予め工場で根太における電線を通過させる箇所に貫通孔をあけ、当該貫通孔に電線を配設しておく必要がある上記特許文献１の技術に比べて作業の自由度が高い。このため、上記態様に係る床構造の施工方法では、施工中に配管や配線の経路を変更しようとする場合にあっても、比較的容易に経路変更が可能である。
【００１７】
従って、上記態様に係る床構造の施工方法では、煩雑な作業を避けながら、高い自由度を以って管材やケーブル等の設置物の設置作業をすることができる。
【００１８】
本発明の別態様に係る床構造の施工方法は、上記態様において、次のステップを更に備える。
【００１９】
《配索部材を配索するステップ》  前記板材を配設した後であって、前記複数の下地板を配設する前に、前記複数の面材及び前記板材の少なくとも一方を足場として、管材及びケーブルの少なくとも一方を含む配索部材を配索する。
【００２０】
上記態様に係る床構造の施工方法では、面材及び板材の少なくとも一方を足場として利用して配索を行うので、上記従来技術のように配管及び配線のために脚立を立てたり足場を組んだりする必要はなく、管材やケーブル等の設置物の設置作業の際の煩雑な作業を回避することができる。
【００２１】
また、上記態様に係る床構造の施工方法では、配管及び配線の作業を行う際、作業領域である面材及び板材の上において、足場として利用する面材や板材の配設箇所が目視で確認可能であるので、作業の安全性という観点から優れている。
【００２２】
本発明の別態様に係る床構造の施工方法は、上記態様において、次のステップを更に備える。
【００２３】
《第１支持部材を配設するステップ》  前記複数の面材の上における、平面視で前記第１床梁又は前記第２床梁と重なる領域であって、前記板材により覆われた領域以外の領域に、上階からの荷重を支持する複数の第１支持部材を配設する。
【００２４】
そして、本態様に係る施工方法では、前記複数の第１支持部材の少なくとも一部の上を跨ぐように前記配索部材を配索する。
【００２５】
上記態様に係る床構造の施工方法では、第１支持部材を配設するステップにおいて、上方からの平面視で第１床梁又は第２床梁と重なる領域に第１支持部材を配設するのであるが、配索部材を配索するステップにおいて、第１支持部材の上を跨ぐように配索部材を配索するので、配索部材を通すために第１支持部材に孔を開けたり、溝を彫り込んだりし、これらに管材やケーブル等を通す場合に比べて、当該配索作業が煩雑になるのを避けることができる。
【００２６】
なお、上記態様に係る床構造の施工方法では、第１支持部材を配設することにより、高い鉛直剛性を担保することができる。即ち、上記態様に係る床構造の施工方法では、上階からかかる鉛直方向の荷重を、第１支持部材を介して比較的剛性の高い第１床梁又は第２床梁で受けるようにすることができ、高い鉛直剛性を備える床構造を施工することが可能となる。
【００２７】
本発明の別態様に係る床構造の施工方法は、上記態様において、前記板材を配設するステップでは、前記隣接する２枚の面材よりも薄い前記板材を用いる。
【００２８】
上述のように、上記態様に係る床構造の施工方法では、第１支持部材を介して第１床梁又は第２床梁が鉛直方向の荷重をダイレクトに受けることができる床構造を施工することができるとともに、面材よりも薄い板材を用いて高い水平剛性が確保された床構造を施工することができる。
【００２９】
また、上記態様に係る床構造の施工方法では、面材よりも薄い板材を用いることとしているので、配索部材を配索する際に板材が障害となり難く、高い自由度を以って配索部材を配索することが可能である。
【００３０】
本発明の別態様に係る床構造の施工方法は、上記態様において、次のステップを更に備える。
【００３１】
《弾性部材を配設するステップ》  前記複数の面材の上における、前記第１支持部材を配設する予定の領域の少なくとも一部領域に、弾性部材を配設する。
【００３２】
上記態様に係る床構造の施工方法では、弾性部材を配設するステップにおいて、面材の上における、第１支持部材を配設する予定領域に弾性部材を配設するため、上階からの振動を弾性部材で減衰させることが可能であり、上階からの振動が下階に伝わることを抑制できる。
【００３３】
本発明の別態様に係る床構造の施工方法は、上記態様において、前記複数の第１支持部材のそれぞれは、前記面材に沿って延びる長尺状の部材であり、該床構造の施工方法は、次のステップを更に備える。
【００３４】
《第２支持部材を架設するステップ》  複数の第２支持部材のそれぞれが前記第１支持部材の長手方向に対して交差する方向に延びるとともに、前記配索部材を避けるように、前記複数の第１支持部材の上に前記複数の第２支持部材を架設する。
【００３５】
そして、本態様に係る床構造の施工方法において、配索するステップで配索された前記配索部材は、前記複数の面材及び前記板材と前記複数の下地板との間、及び前記複数の第１支持部材と前記複数の下地板との間、のスペースを通る状態となる。即ち、ここで、第１支持部材と下地板との間にも、第２支持部材の高さに相当するスペースが存在することとなり、当該スペースを配索部材を配索するためのスペースとして用いることができる。
【００３６】
よって、上記態様に係る床構造の施工方法では、上記特許文献１に開示の技術のように、第２支持部材に貫通孔などを設ける必要がなく、施工時における高い自由度を確保することができる。
【００３７】
本発明の別態様に係る床構造の施工方法は、上記態様において、スペーサを配設するステップを更に備える。
【００３８】
《スペーサを配設するステップ》  前記複数の第１支持部材の上における、前記第２支持部材を配設する予定の領域の少なくとも一部領域に、スペーサを配設する。
【００３９】
上記態様に係る床構造の施工方法では、スペーサを配設するステップにおいて、第１支持部材の上における第２支持部材を配設する予定領域の少なくとも一部領域にスペーサを配設することとしているので、スペーサの有無やその厚み調整によって第２支持部材の上面高さの調整（段差を設けたり、逆に段差をなくしたりすること）が可能となる。
【００４０】
例えば、上階の床面の一部に床暖房用ヒータなどを設けようとする場合には、床面の段差をなくすように、その周囲の領域で第１支持部材と第２支持部材との間にヒータの厚みに相当する厚みのスペーサを設けるようにすればよい。
【００４１】
上記態様に係る木造建築物の施工方法では、上記の何れかの態様に係る床構造の施工方法を用いて、上階の床構造を施工することとしているので、上記同様に、煩雑な作業を避けながら、高い自由度を以って管材やケーブル等の設置物の設置作業をすることができる。
【００４２】
なお、本明細書において「床構造の施工方法」とは、床構造を製造するための方法（製造方法）の意味で用い、また、「木造建築物の施工方法」とは、木造建築物を製造するための方法（製造方法）の意味で用いている。
【発明の効果】
【００４３】
上記の各態様では、煩雑な作業を避けながら、高い自由度を以って管材やケーブル等の設置物の設置作業をすることができる。
【図面の簡単な説明】
【００４４】
【図１】実施形態に係る床構造１の施工ステップを示す工程図である。
【図２】（ａ）は、図１の工程図におけるステップＳ１を示す模式斜視図であり、（ｂ）は、図１の工程図におけるステップＳ２を示す模式斜視図である。
【図３】（ａ）は、図１の工程図におけるステップＳ３を示す模式斜視図であり、（ｂ）は、図１の工程図におけるステップＳ４及びステップＳ５を示す模式斜視図である。
【図４】（ａ）は、図１の工程図におけるステップＳ６を示す模式斜視図であり、（ｂ）は、図１の工程図におけるステップＳ７及びステップＳ８を示す模式斜視図である。
【図５】図４（ｂ）におけるＶ−Ｖ断面を示す模式断面図である。
【図６】図５におけるＡ部を抜き出して示す模式断面図である。
【図７】図５におけるＢ分を抜き出して示す模式断面図である。
【図８】実施形態に係る床構造１の施工方法を採用して２階の床構造を形成した木造建築物１００の一部構成を示す模式断面図である。
【発明を実施するための形態】
【００４５】
以下では、本発明の実施形態について、図面を参酌しながら説明する。なお、以下で説明の形態は、本発明の一態様であって、本発明は、その本質的な構成を除き何ら以下の形態に限定を受けるものではない。
【００４６】
［実施形態］
１．床構造１の施工方法
本実施形態に係る床構造１の施工方法について、図１並びに図２から図４を用い説明する。
【００４７】
《床梁を組むステップ》
図２（ａ）に示すように、一対の縦床梁（第１床梁）１０と一対の横床梁（第２床梁）１１とを組み付ける（図１のステップＳ１）。なお、図示を省略しているが、本実施形態に係る床構造１は、上階と下階とを有する木造建築物における上階の床構造であるので、一対の縦床梁１０及び一対の横床梁１１は、通し柱や管柱などに対して組み付けられる。
【００４８】
一対の縦床梁１０は、それぞれがＸ方向（第１方向）に延び、Ｙ方向（第１方向と直交する方向）に互いに間隔を空けて配される。
【００４９】
一対の横床梁１１は、それぞれがＹ方向（第２方向）に延び、Ｘ方向（第２方向と直交する方向）に互いに間隔を空けて配される。
【００５０】
なお、本実施形態に係る床構造１において、一対の縦床梁１０の上面と一対の横床梁１１の上面とは、略面一となるように組み付けられる。
【００５１】
《面材を配設するステップ》
図２（ｂ）に示すように、一対の縦床梁１０及び一対の横床梁１１の上に、それぞれがＹ方向に延び、Ｘ方向に並設され、一対の横床梁１１間に架設されるように、複数の面材１２を配設する（図１のステップＳ２）。即ち、一対の縦床梁１０と一対の横床梁１１とで区画される領域を上方から覆設するように複数の面材１２を配設し、一対の横床梁１１に固定する。
【００５２】
複数の面材１２の固定は、Ｚ方向上方からの平面視において、縦床梁１０及び横床梁１１と重なる箇所で、ビス又は釘を用い実行される（固定箇所ＰＣＬ）。
【００５３】
なお、複数の面材１２は、平面視で矩形状の板であり、少なくともＺ方向下側の面が木目を活かした意匠性に優れる部材である。
【００５４】
《板材を配設するステップ》
図３（ａ）に示すように、複数の面材１２の上に、複数の板材１３を配設する（図１のステップＳ３）。複数の板材１３のそれぞれは、Ｘ方向に延び、突合せ境界部ＬＢを挟んでＹ方向に隣接する２枚の面材１２の両縁部をＺ方向上側から覆設し、一対の横床梁１１間に架設されるように配設される。
【００５５】
複数の板材１３は、その下に位置する面材１２に対して、重なり部分でビス又は釘を用い固定されている（固定箇所ＰＣＬ）。なお、ビス又は釘による固定においては、Ｚ方向下方に縦床梁１０又は横床梁１１がある領域では、ビス又は釘が面材１２を板厚方向に貫通し、縦床梁１０又は横床梁１１までビス又は釘が到達するようにしている。
【００５６】
一方、Ｚ方向下方に縦床梁１０及び横床梁１１がない領域では、ビス又は釘が面材１２を板厚方向に貫通しないように、長さの選択がなされている。
【００５７】
《防振材を配設するステップ》
図３（ｂ）に示すように、面材１２の上の一部領域に防振材（弾性部材）１７を配設する（図１のステップＳ４）。防振材１７の配設領域は、この後で説明の２階根太受け部材１４，１５を載置する予定領域である。
【００５８】
《２階根太受け部材を配設するステップ》
図３（ｂ）に示すように、面材１２の上であって、防振材１７を配設した領域上に２階根太受け部材１４，１５を配設する（図１のステップＳ５）。２階根太受け部材１４，１５は、それぞれがＸ方向に延びる長尺状の部材であり、面材１２の上における板材１３が配設された領域以外の領域に配設されている。
【００５９】
２階根太受け部材（第１支持部材）１４は、Ｚ方向上方からの平面視において、縦床梁１０と重なる領域に配置されている。２階根太受け部材１４は、上階（２階）やその上の屋根などの荷重を支持するための支持部材として設けられている。
【００６０】
一方、２階根太受け部材１５は、２階根太受け部材１４に比べてＹ方向の幅が狭い。２階根太受け部材１５は、Ｚ方向上方からの平面視において、縦床梁１０と重ならない領域に配置されている。なお、２階根太受け部材１５は、面材１２及び防振材１７を間に挟んだ状態で、一対の横床梁１１間に架設されている。
【００６１】
《配管及び配線を行うステップ》
図４（ａ）に示すように、複数の面材１２及び複数の板材１３の上の空間ＳＰ１に対して、パイプ（管材）２７及びケーブル（線材）２８を敷設する（図１のステップＳ６）。パイプ２７及びケーブル２８は、先に配設した２階根太受け部材１４，１５等の上を跨ぐように敷設される。
【００６２】
なお、本実施形態に係る床構造１の施工方法では、複数の面材１２及び複数の板材１３の少なくとも一方を作業時の足場として利用して配管及び配線作業を実施する。
【００６３】
《スペーサを配設するステップ》
図４（ｂ）に示すように、２階根太受け部材１４，１５の上における、２階根太（第２支持部材）１６を配設する予定の領域の少なくとも一部に、スペーサ１８，１９を配設する（図１のステップＳ７）。図４（ｂ）では、詳細な図示を省略しているが、スペーサ１８は、スペーサ１９よりもＺ方向厚みが厚い。
【００６４】
なお、図４（ｂ）に示すように、スペーサ１８，１９は、パイプ２７及びケーブル２８が跨いだ領域を避けて配設されている。換言すると、パイプ２７及びケーブル２８は、この後に説明する２階根太１６を配設しようとする領域を避けて敷設されている。
【００６５】
《２階根太を架設するステップ》
図４（ｂ）に示すように、２階根太受け部材１４，１５間に２階根太（第２支持部材）１６を架設する（図１のステップＳ８）。
【００６６】
本実施形態においては、２階根太１６は、２階根太受け部材１４，１５の上に、当該２階根太受け部材１４，１５の各長手方向に対して交差する方向（Ｙ方向）にそれぞれが延びるように配設される。
【００６７】
２階根太受け部材１４，１５と２階根太１６との間には、スペーサ１８，１９が介挿された箇所が存在することとなる。
【００６８】
なお、図示を省略しているが、２階根太１６は、スペーサ１９の上にも配設される。
【００６９】
また、２階根太受け部材１４，１５と２階根太１６とは、ボルトや釘などで固定されるのであるが、後々のメンテナンス作業などを考慮し、着脱自在としておくこともできる。
【００７０】
《下地板を配設するステップ》
図示を省略するが、２階根太１６の上に、複数の下地板を配設する。
【００７１】
なお、複数の下地板の少なくとも一部については、２階根太１６とともに２階根太受け部材１４，１５から着脱自在としておくこともできる。
【００７２】
以上のようにして、床構造１が完成する。
【００７３】
２．床構造１
上記のようなステップを経て施工された床構造１について、図５から図７を用い説明する。図５は、図４（ｂ）におけるＶ−Ｖ断面を示す模式断面図であり、図６は、図５におけるＡ部を抜き出して示す模式断面図であり、図７は、図５におけるＢ分を抜き出して示す模式断面図である。
【００７４】
図５に示すように、一対の縦床梁１０と一対の横床梁１１との上に配設され固定された複数の面材１２は、Ｙ方向において互いに突き合わされている（突合せ境界部ＬＢ）。そして、隣接する２枚の面材１２の上には、突合せ境界部ＬＢを挟んで面材１２の両縁部をＺ方向上側から覆うように、板材１３が配設されている。
【００７５】
図６に示すように、板材１３は、板幅Ｗ１３よりも板厚Ｔ１３が薄い薄板であり、面材１２の板厚Ｔ１２よりも薄い。なお、本実施形態に係る床構造１では、板材１３が、Ｙ方向において、突合せ境界部ＬＢを境に略対称となるように配設されている。
【００７６】
上述のように、面材１２の上の一部領域には、防振材１７及び２階根太受け部材１４，１５が配設される。図５では、図示を省略しているが、面材１２及び板材１３の上の空間ＳＰ１にパイプ２７及びケーブル２８が配管及び配線されている。
【００７７】
図５及び図７に示すように、２階根太受け部材１４，１５の上には、スペーサ１８，１９を介して２階根太１６が載置されている。上述のように、スペーサ１８とスペーサ１９とはＺ方向の厚みが異なっている。このため、２階根太受け部材１４，１５上の２階根太１６には、上面１６ａがスペーサ１８，１９の厚みの差に相当する段差Ｇ１６を有する。
【００７８】
なお、２階根太受け部材１４，１５と２階根太１６との間には、スペーサ１８，１９が介挿された部分と、介挿されていない部分とが存在していてもよい。
【００７９】
３．木造建築物１００の構造と施工方法
木造建築物１００の構造とその施工方法について、図８を用い説明する。図８は、木造建築物１００の一部構造を示す模式断面図である。
【００８０】
図８に示すように、木造建築物１００は、それぞれがＺ方向に延びる通し柱２０及び管柱２１と、下階である１階の下地板２２及び床板２３と、上階である２階の下地板２４及び床板２５，２６と、２階の床構造として、上述の床構造１と、を備える。
【００８１】
通し柱２０は、床構造１における縦床梁１０及び横床梁１１、さらには図示を省略している屋根を支持している。管柱２１は、床構造１における縦床梁１０及び横床梁１１を支持している。
【００８２】
ここで、２階の床板２６は、床板２５よりも厚みが厚い。これは、床板２６は、床暖房用のヒータが設けられてなるものであるので、ヒータが設けられていない床板２５よりも厚みが厚くなっているものである。
【００８３】
なお、スペーサ１８，１９により２階根太１６の上面の高さ調整が行われているため、床板２５の上面２５ａと床板２６の上面２６ａとが略面一となっている。
【００８４】
木造建築物１００における２階の床構造１において、面材１２及び板材１３と下地板２４との間には、空間ＳＰ１が空けられ、上述のように当該空間ＳＰ１が配管・配線のスペース（ＰＳ・ＥＰＳ）として利用されている。
【００８５】
そして、本実施形態に係る木造建築物１００では、床構造１における面材１２の下面１２ａが、１階の天井面を構成する。このため、１階の床板２３の上面２３ａから面材１２の下面１２ａまでの高さＨ１Ｆが１階の天井高ということになる。
【００８６】
次に、木造建築物１００の施工の概要は、基礎の上に土台を載置し、当該土台に対して通し柱２０及び管柱２１を立設する。そして、通し柱２０及び管柱２１に１階の大引きや、２階の床構造１における縦床梁１０及び横床梁１１、さらには棟木を含む屋根を組み付ける。
【００８７】
そして、１階の大引きの上には根太を配設し、その上に下地板２２及び床板２３を配設する。
【００８８】
一方、２階の床構造１は、上述の床構造１の方法を以って施工する。
【００８９】
なお、詳細な説明を省略するが、外装工事や内装工事などをその後に実施する。
【００９０】
４．効果
本実施形態に係る床構造１の施工方法では、配管及び配線するステップＳ６において、面材１２及び板材１３の少なくとも一方を足場として利用するので、上記従来技術のように配管及び配線のために脚立や足場を組む必要はなく、配管及び配線の際の煩雑な作業を回避することができる。
【００９１】
また、本実施形態に係る床構造１の施工方法では、配管及び配線を行うステップＳ６において、面材１２及び板材１３及び２階根太受け部材１４の上を通過するようにパイプ（管材）２７やケーブル（電線や光ファイバーなどの線材）２８などの配索部材を配索するので、上記特許文献１に開示の技術に比べて作業の自由度が高い。例えば、施工中に配管や配線の経路を変更しようとする場合にあっても、比較的容易に経路変更が可能である。
【００９２】
また、配管及び配線の作業を行う際、作業領域である面材１２及び板材１３の上において、足場として利用する面材１２及び板材１３の配設箇所が目視で確認可能であるので、作業の安全性という観点から優れている。
【００９３】
従って、本実施形態に係る床構造１の施工方法では、煩雑な作業を避けながら、高い自由度及び高い安全性で配管及び配線を行うことができる。
【００９４】
また、本実施形態に係る床構造１の施工方法では、２階根太受け部材（第１支持部材）１４を配設するステップＳ５において、Ｚ方向上方からの平面視で縦床梁１０と重なる領域に２階根太受け部材１４を配設するのであるが、配管及び配線を行うステップＳ６において、２階根太受け部材１４の上を跨ぐようにパイプ２７やケーブル２８を配設するので、配索作業が煩雑になるのを避けることができる。
【００９５】
なお、本実施形態に係る床構造１の施工方法では、２階根太受け部材１４を配設することにより、高い鉛直剛性を担保することができる。即ち、本実施形態に係る床構造１の施工方法では、２階（上階）からかかる鉛直方向（Ｚ方向）の荷重を、２階根太受け部材１４を介して比較的剛性の高い縦床梁１０で受けるようにすることができ、高い鉛直剛性を備える床構造を施工することが可能となる。
【００９６】
上述のように、本実施形態に係る床構造１の施工方法では、２階根太受け部材１４を介して縦床梁１９が鉛直方向の荷重をダイレクトに受けることができる床構造１を施工することができるので、面材１２よりも薄い板材１３でも高い水平剛性が確保された床構造１を施工することができる。
【００９７】
また、本実施形態に係る床構造１の施工方法では、面材１２よりも薄い板材１３を用いることとしているので、配管や配線の作業時に板材１３が障害となり難く、高い自由度を以ってパイプ２７やケーブル２８を配設することが可能である。
【００９８】
また、本実施形態に係る床構造１の施工方法では、防振材（弾性部材）１７を配設するステップＳ４において、面材１２の上における、２階根太受け部材１４，１５を配設する予定領域に防振材１７を配設するため、２階（上階）からの振動を防振材１７で減衰させることが可能であり、２階からの振動が１階（下階）に伝わることを抑制できる。
【００９９】
また、本実施形態に係る床構造１の施工方法では、２階根太１６を配設する位置を考慮し、当該２階根太１６と干渉しないようにパイプ２７やケーブル２８を配置することとしているので、上記特許文献１に開示の技術のように、２階根太１６に貫通孔などを設ける必要がなく、施工時における高い自由度を確保することができる。
【０１００】
また、本実施形態に係る床構造１の施工方法では、スペーサ１８，１９を配設するステップＳ７において、２階根太受け部材１４，１５の上における２階根太１６を配設する予定領域の少なくとも一部領域にスペーサ１８，１９を配設することとしているので、スペーサ１８，１９の有無やその厚み調整によって２階根太１６の上面１６ａの高さの調整（段差を設けたり、逆に段差をなくしたりすること）が可能となる。
【０１０１】
図８を用い説明したように、本実施形態に係る木造建築物１００では、２階の床面の一部に床暖房用ヒータなどを設けることとし、床板２５の上面２５ａと床板２６の上面２６ａとを略面一にすることができる。
【０１０２】
また、本実施形態に係る床構造１の施工方法では、複数の面材１２の下方には別途の天井材を設けず、面材１２の下面１２ａが１階の天井面を構成するようにしているので、面材１２の外観（下面１２ａの外観）を活かした意匠性に優れた空間形成が可能となる。
【０１０３】
また、本実施形態に係る木造建築物１００の施工方法では、２階の床構造１の施工に際して、上記のような効果を奏することができる床構造１の施工方法を用いるので、上記同様に、煩雑な作業を避けながら、高い自由度を以って配線及び配管などの配索作業をすることができる。
【０１０４】
［変形例］
上記実施形態では、面材１２を配設するステップＳ２において、複数の面材１２を一対の横床梁１１間に架設することとしたが、本発明はこれに限定を受けるものではない。例えば、複数の面材１２が縦床梁１０間に架設することもできるし、面材１２の一方側が縦床梁１０、他方側が横床梁１１となるように架設することもできる。
【０１０５】
図２から図４においては、面材１２及び板材１３を固定するためのビス又は釘の固定箇所（固定箇所ＰＣＬ）を模式的に図示しており、固定箇所数やピッチなどについては、図示の形態に限定を受けるものではない。例えば、より密に固定箇所を設定してもよいし、荷重のかかり方を考慮して、領域ごとに固定箇所ＰＣＬ間のピッチを変更することとしてもよい。
【０１０６】
上記実施形態では、２階根太受け部材１４，１５を配設するステップＳ５において、２階根太受け部材１４，１５がＸ方向に延び、Ｚ方向上方からの平面視で２階根太受け部材１４が縦床梁１０と重なるように配設したが、本発明は、これに限定を受けるものではない。例えば、Ｙ方向に延び、Ｚ方向上方からの平面視で横床梁１１と重なるように２階根太受け部材を配設することとしてもよい。
【０１０７】
また、上記実施形態では、Ｚ方向上方からの平面視において、２階根太受け部材１４の全体が縦床梁１０と重なるように配設することとしたが、本発明は、これに限定を受けるものではない。Ｚ方向上方からの平面視において、２階根太受け部材の一部が縦床梁と重なり、残りの部分は重ならない形態で配設することも可能である。
【０１０８】
上記実施形態では、板材１３を配設するステップＳ３において、Ｙ方向に隣接する２枚の面材１２の両縁部を上から覆うように板材１３を配設することとしたが、本発明は、これに限定を受けるものではない。例えば、Ｙ方向においてより幅広の板材を採用し、Ｙ方向に並ぶ３枚以上の面材の上を覆うように板材を配設することとしてもよい。
【０１０９】
また、上記実施形態では、板材１３を、面材１２と同じＸ方向に延びることとしたが、本発明は、これに限定を受けるものではない。即ち、板材１３が延びる方向は、必ずしもＸ方向に合致している必要はなく、Ｘ方向に対して斜め方向となってもよい。２階根太受け部材及び２階根太の延びる方向についても同様である。
【０１１０】
上記実施形態では、２階根太１６を配設するステップＳ８において、２階根太受け部材１４，１５の上に、それぞれがＹ方向（２階根太受け部材１４，１５の各長手方向に対して交差する方向）に延びるように２階根太１６を配設することとしたが、本発明は、これに限定を受けるものではない。例えば、２階根太受け部材１４，１５の上に、２階根太１６を介さず直に下地板や床板を敷設することも可能である（剛床構造）。
【０１１１】
上記実施形態では、スペーサ１８，１９を配設するステップＳ７において、２階の床板２５，２６の上面２５ａ，２６ａを略面一とするために、２階根太受け部材１４，１５と２階根太１６との間にスペーサ１８，１９を設けることとしたが、本発明は、これに限定を受けるものではない。例えば、敢えて２階の床板の一部を周囲の床板に対して段差をつけるためにスペーサを設けることとしてもよい。
【０１１２】
また、上記実施形態では、スペーサ１８とスペーサ１９との厚み差を以って床板２５の上面２５ａと床板２６の上面２６ａとの段差をなくすための調整を行うこととしたが、本発明は、これに限定を受けるものではない。例えば、一部にスペーサを設け、他部にはスペーサを設けない構成を採用して調整を行うこととしてもよい。
【０１１３】
また、スペーサは、予め下地板の下面や、２階根太受け部材（第１支持部材）の上面に固定しておいてもよく、下地板や第１支持部材の配設ステップと別ステップでスペーサを配設する必要は必ずしもない。
【０１１４】
なお、本発明は、スペーサ１８，１９は必須の構成要件ではない。
【０１１５】
上記実施形態では、防振材１７を配設するステップＳ４において、面材１２と２階根太受け部材１４，１５との間に防振材１７を挿入することとしたが、本発明は、これに限定を受けるものではない。例えば、２階根太受け部材と２階根太との間に弾性部材を挿入して防振材とすることもできるし、上記のスペーサを弾性部材から構成することで防振材としての機能も付与することも可能である。
【０１１６】
また、防振材（弾性部材）は、予め２階根太受け部材（第１支持部材）の下面や、面材の上面に固定しておいてもよく、面材や第１支持部材の配設ステップと別ステップで弾性部材を配設する必要は必ずしもない。
【０１１７】
なお、防振材１７の構成材料については、特に限定を受けるものではないが、例えば、エーテル系の発泡ポリウレタン・エラストマー等を採用することができる。
【０１１８】
なお、本発明では、防振材１７は必須の構成要件ではない。
【０１１９】
上記実施形態では、図８を用い説明したように、１階と２階との間の床構造１の施工に関し、本発明に係る床構造の施工方法を採用することとしたが、本発明は、これに限定を受けるものではない。例えば、３階以上の建物における３階より上階の床構造や、地階がある建物における１階の床構造の施工に、本発明に係る床構造の施工方法を採用することも可能である。
【０１２０】
上記実施形態では、パイプ２７及びケーブル２８がともにＹ方向に延びるように配設することとしたが、本発明は、これに限定を受けるものではない。例えば、管材や線材がＸ方向あるいはＸ方向及びＹ方向に対して斜め方向に延びるように配設することも可能である。なお、この場合には、管材及び線材を２階根太の下方を潜るように配設する。
【０１２１】
また、上記実施形態では、配索部材の一例としてパイプ２７及びケーブル２８を配索することとしたが、本発明は、これに限定を受けるものではない。例えば、吸音材や断熱材などを下地板と面材あるいは２階根太受け部材（第１支持部材）との間に配設することとしてもよい。
【符号の説明】
【０１２２】
１  床構造
１０  縦床梁（第１床梁）
１１  横床梁（第２床梁）
１２  面材
１３  板材
１４  ２階根太受け部材（第１支持部材）
１６  ２階根太（第２支持部材）
１７  防振材（弾性部材）
１８，１９  スペーサ
２２，２４  下地板
２３，２５  床板
２６  床板（ヒータ付）
２７  パイプ（配索部材）
２８  ケーブル（配索部材）
【図１】
2019011605.tif 000003
【図２】
2019011605.tif 000004
【図３】
2019011605.tif 000005
【図４】
2019011605.tif 000006
【図５】
2019011605.tif 000007
【図６】
2019011605.tif 000008
【図７】
2019011605.tif 000009
【図８】
2019011605.tif 000010